(57)【要約】【課題】円板を駆動させるモータの振動により使用者が不快と感じる騒音や振動の発生を防ぐことができることを目的とする。【解決手段】防振部材Ａ２９と防振部材Ｂ３０の中心の孔の外側に凸部Ａ３１と凸部Ｂ３２をそれぞれ３つ均等に設けるといった構成にしたことにより、破砕モータの振動は、凸部Ａ３１と凸部Ｂ３２への伝達となるので、円板を駆動させるモータの振動により使用者が不快と感じる騒音や振動の発生を防ぐことができる液体微細化装置を得られる。【選択図】図７
2015062447.tif 000002
【特許請求の範囲】
【請求項１】
本体ケース内に空気を吸い込むファンを回転駆動するファンモータと、前記ファンで吸い込まれた空気を本体ケース内で温めて温風として送風する一次熱交換器と、破砕モータの作動に基づいて、貯水部に貯留された水を細かな水粒に破砕するとともに、該水粒で前記一次熱交換器から送風される温風を加湿して本体ケース外に送風する加湿ユニットとを備え、前記加湿ユニットは、ドーナッツ状の防振部材を備えた破砕モータの作動に基づいて回転して前記貯水部から水を巻き上げる揚水管と、前記揚水管と一体に回転され、該揚水管で巻き上げた水を該揚水管の回転方向に飛散させる遠心破砕円板と、前記遠心破砕円板の一側に配設され、該遠心破砕円板から飛散された水滴を衝突させて破砕する破砕壁とを備え、前記破砕壁の前記遠心破砕円板に対向する側面には、該側面の左右方向への水の移動を阻止する複数の破砕枠を設け、前記防振部材の中心の孔の外側に３つの凸部を設けたことを特徴とする液体微細化装置。
【請求項２】
凸部の間を繋ぐ薄壁を設けたことを特徴とする請求項１に記載の液体微細化装置。
【請求項３】
凸部の間に補強リブを設けたことを特徴とする請求項１または２に記載の液体微細化装置。
【発明の詳細な説明】
【技術分野】
【０００１】
本発明は、液体微細化装置とそれを用いたサウナ装置に関するものである。
【背景技術】
【０００２】
給気口と排気口を有する本体ケースと、この本体ケース内の風路に設けた送風手段と、この送風手段と排気口間に設けた液体微細化手段とを備えた液体微細化装置において、前記液体微細化手段は、回転する円板の上面に液体を供給し、円板上に薄く広がった液体を遠心力により外方に飛散させて微細化させる構成となっている。
【先行技術文献】
【特許文献】
【０００３】
【特許文献１】特開平４−１１８０６８号公報
【発明の概要】
【発明が解決しようとする課題】
【０００４】
このような液体微細化装置においては、円板を駆動させるモータの振動により使用者が不快と感じる騒音や振動の発生の恐れがある、といった課題を有していた。
【０００５】
そこで本発明は、上記の課題を解決するものであり、円板を駆動させるモータの振動により使用者が不快と感じる騒音や振動の発生を防ぐことができる液体微細化装置を提供することを目的とする。
【課題を解決するための手段】
【０００６】
この目的を達成するために、本発明は、本体ケース内に空気を吸い込むファンを回転駆動するファンモータと、前記ファンで吸い込まれた空気を本体ケース内で温めて温風として送風する一次熱交換器と、破砕モータの作動に基づいて、貯水部に貯留された水を細かな水粒に破砕するとともに、該水粒で前記一次熱交換器から送風される温風を加湿して本体ケース外に送風する加湿ユニットとを備え、前記加湿ユニットは、ドーナッツ状の防振部材を備えた破砕モータの作動に基づいて回転して前記貯水部から水を巻き上げる揚水管と、前記揚水管と一体に回転され、該揚水管で巻き上げた水を該揚水管の回転方向に飛散させる遠心破砕円板と、前記遠心破砕円板の一側に配設され、該遠心破砕円板から飛散された水滴を衝突させて破砕する破砕壁とを備え、前記破砕壁の前記遠心破砕円板に対向する側面には、該側面の左右方向への水の移動を阻止する複数の破砕枠を設け、前記防振部材の中心の孔の外側に３つの凸部を設けたこととしたものであり、これにより所期の目的を達成するものである。
【発明の効果】
【０００７】
本発明によれば、本体ケース内に空気を吸い込むファンを回転駆動するファンモータと、前記ファンで吸い込まれた空気を本体ケース内で温めて温風として送風する一次熱交換器と、破砕モータの作動に基づいて、貯水部に貯留された水を細かな水粒に破砕するとともに、該水粒で前記一次熱交換器から送風される温風を加湿して本体ケース外に送風する加湿ユニットとを備え、前記加湿ユニットは、ドーナッツ状の防振部材を備えた破砕モータの作動に基づいて回転して前記貯水部から水を巻き上げる揚水管と、前記揚水管と一体に回転され、該揚水管で巻き上げた水を該揚水管の回転方向に飛散させる遠心破砕円板と、前記遠心破砕円板の一側に配設され、該遠心破砕円板から飛散された水滴を衝突させて破砕する破砕壁とを備え、前記破砕壁の前記遠心破砕円板に対向する側面には、該側面の左右方向への水の移動を阻止する複数の破砕枠を設け、前記防振部材の中心の孔の外側に３つの凸部を設けた、といった構成にしたことにより、破砕モータの振動は３つの凸部へ伝達することとなるので、円板を駆動させるモータの振動により使用者が不快と感じる騒音や振動の発生を防ぐことができる、といった効果を得ることができる。
【図面の簡単な説明】
【０００８】
【図１】本発明の実施の形態１の液体微細化装置を浴室に設置した状態を示す斜視図
【図２】同液体微細化装置の下面から見た斜視図
【図３】同液体微細化装置の内部の構成を示す上面から見た斜視図
【図４】同液体微細化装置の内部の構成を示す側面から見た図
【図５】同液体微細化装置の内部の構成を示す底面から見た図
【図６】同液体微細化装置の破砕モータを上下に防振部材Ａ、Ｂで挟んだ状態を示す側断面図
【図７】同液体微細化装置の防振部材Ａ、Ｂを示す斜視図（（ａ）防振部材Ａを示す外観図、（ｂ）防振部材Ｂを示す外観図）
【発明を実施するための形態】
【０００９】
本発明の請求項１記載の液体微細化装置は、本体ケース内に空気を吸い込むファンを回転駆動するファンモータと、前記ファンで吸い込まれた空気を本体ケース内で温めて温風として送風する一次熱交換器と、破砕モータの作動に基づいて、貯水部に貯留された水を細かな水粒に破砕するとともに、該水粒で前記一次熱交換器から送風される温風を加湿して本体ケース外に送風する加湿ユニットとを備え、前記加湿ユニットは、ドーナッツ状の防振部材を備えた破砕モータの作動に基づいて回転して前記貯水部から水を巻き上げる揚水管と、前記揚水管と一体に回転され、該揚水管で巻き上げた水を該揚水管の回転方向に飛散させる遠心破砕円板と、前記遠心破砕円板の一側に配設され、該遠心破砕円板から飛散された水滴を衝突させて破砕する破砕壁とを備え、前記破砕壁の前記遠心破砕円板に対向する側面には、該側面の左右方向への水の移動を阻止する複数の破砕枠を設け、前記防振部材の中心の孔の外側に３つの凸部を設けた、という構成を有する。これにより、破砕モータの振動は凸部へ伝達することとなるので、円板を駆動させるモータの振動により使用者が不快と感じる騒音や振動の発生を防ぐことができる、という効果を奏する。
【００１０】
また、凸部の間を繋ぐ薄壁を設けた、という構成にしてもよい。これにより、３つの凸部を一体化することとなるので、防振部材の組み付け性を向上させることができる、という効果を奏する。
【００１１】
また、凸部の間に補強リブを設けた、という構成にしてもよい。これにより、組み立て時に起こり得る防振部材Ａと防振部材Ｂの変形すなわち外周が内側や外側へ変形するのを補強リブＡと補強リブＢによって締結し固定することで変形を防止することができる。
【００１２】
以下、本発明の実施の形態について図面を参照しながら説明する。
【００１３】
（実施の形態１）
図１に示すように、浴室１の天井面２には液体微細化装置３が取付けられている。液体微細化装置３には、電気温水器あるいはガス温水器から熱源として熱水が配管４を介して供給されるとともに、配管５を介して水が供給される。
【００１４】
図２に示すように、前記液体微細化装置３はフロントパネル６の上方に本体ケース７が取着されている。そして、液体微細化装置３は前記浴室１内にフロントパネル６を露出させる状態で、本体ケース７が浴室１の天井裏に設置されている。
【００１５】
前記フロントパネル６には、浴室１内の空気を吸い込む吸気口８と、浴室１内に高温高湿度の空気を送り出す送気口９が設けられている。
【００１６】
図３及び図４に示すように、前記本体ケース７内には主に一次熱交換器１０、送風機１１、加湿ユニット１２、二次熱交換器１３が設けられている。
【００１７】
一次熱交換器１０は、本体ケース７の吸気口８の上方に設置され、前記温水器から供給される熱水が循環するように構成される。
【００１８】
前記送風機１１は、本体ケース７に回転可能に支持された一対のファン１５間にファンモータ１６が配設され、そのファンモータ１６の動作に基づいてファン１５が回転される。そして、ファン１５の回転に基づいて浴室１内の空気が吸気口８から吸い込まれ、その空気は一次熱交換器１０で温められ後、加湿ユニット１２に案内される。
【００１９】
前記加湿ユニット１２は、前記本体ケース７の中央部において、前記ファン１５から温風が供給される位置に配設され、破砕モータ１７、揚水管１８、遠心破砕円板１９ａ〜１９ｄ、破砕壁２０、貯水部２１、ドーナッツ状の防振部材Ａ２９と同じくドーナッツ状の防振部材Ｂ３０を備えている。
【００２０】
破砕モータ１７は本体ケース７の上部に固定され、その出力軸２２は下方に延設されるとともに、出力軸２２の下端部には揚水管１８が取着されている。前記揚水管１８は上方に向かって直径が大きくなる逆円錐状の円筒であり、揚水管１８の上端部に取着される軸部を介して出力軸２２に固定されている。従って、揚水管１８は出力軸２２と一体に回転される。
【００２１】
また、ドーナッツ状の防振部材Ａ２９と防振部材Ｂ３０は、破砕モータ１７を挟み込む様に破砕モータ１７の上下に備えられ、中心の孔の外側に３つの凸部Ａ３１、凸部Ｂ３２を均等に設けた、という構成を有する。
【００２２】
また、この防振部材Ａ２９と防振部材Ｂ３０は、３つの凸部Ａ３１、３つの凸部Ｂ３２のそれぞれの間を繋ぐ薄壁を設け、更に、３つの凸部Ａ３１、３つの凸部Ｂ３２との間の中間に補強リブＡ３３、補強リブＢ３４を設けたという構成にする。
【００２３】
貯水部２１の底面は、出力軸２２の下方位置で最も深くなる浅いすり鉢状に形成されるとともに、その最深部に水位検知センサ１４が配設されている。
【００２４】
また、揚水管１８の下端と貯水部２１の最深部との間には数ｍｍ程度の所要の隙間が確保されている。
【００２５】
図３に示すように、貯水部２１の側方位置には、給水弁２３を備えた給水部２４が配設され、その給水部２４には前記配管５から水が供給される。
【００２６】
そして、後記制御部（図示せず）の動作により給水弁２３が開かれると、配管５から給水弁２３を介して水が貯水部２１に滴下される。
【００２７】
揚水管１８の上部には４層の円板状の遠心破砕円板１９ａ〜１９ｄが水平方向となる状態で設けられている。最上層の遠心破砕円板１９ａは揚水管１８の上端部を水平方向に屈曲して形成され、その下方には同一形状の３枚の遠心破砕円板１９ｂ〜１９ｄが最上層の遠心破砕円板１９ａから取付具を介して吊下支持されている。
【００２８】
前記遠心破砕円板１９ａ〜１９ｄの間において、揚水管１８には揚水管１８の内外を連通させる四角形状の開口部２５が一定間隔毎に形成されている。
【００２９】
このような構成により、給水部２４から貯水部２１に水が供給され、貯水部２１に溜まった水の水面が揚水管１８の下端より上方に達している状態で破砕モータ１７の作動により揚水管１８が回転されると、貯水部２１に貯留されている水が遠心力により揚水管１８の内周面に沿って上方へ巻き上げられる。そして、各開口部２５から各遠心破砕円板１９ａ〜１９ｄの上面を薄膜状となって案内された後、遠心破砕円板１９ａ〜１９ｄの周縁からその周囲に細かな水滴となって略水平方向に飛散される。
【００３０】
図３〜図５に示すように、揚水管１８に対し前記ファン１５の反対側には前記破砕壁２０が形成され、その破砕壁２０は遠心破砕円板１９ａ〜１９ｄを取り囲むように湾曲する衝立状に形成されている。
【００３１】
そして、破砕壁２０と仕切り壁２７は遠心破砕板１９の周囲を遠心破砕板１９ａ〜１９ｄの垂直幅より大きい範囲で、かつ水滴飛散範囲に対し十分な長さを有し囲んだ構成である。回転する遠心破砕板１９ａ〜１９ｄの各々の隙間より噴射された細かな水滴は遠心方向かつ水平方向に噴射され、破砕壁２０と仕切り壁２７に衝突されることとなる。
【００３２】
図６に示すように、前記破砕壁２０の遠心破砕円板１９ａ〜１９ｄ側の側面には、上下方向に延びる突条が破砕枠２６として等間隔に多数形成されている。また、各破砕枠２６の下端は破砕壁２０の下縁より下方まで延設されている。
【００３３】
そして、破砕壁２０に衝突した水の一部は水膜となって表面に残るが、破砕壁２０に設けた破砕枠２６の接合部に導かれ、重力によって破砕枠２６に沿って降下することとなる。降下した水滴は破砕壁２０の下部まで降下すると、負圧である破砕枠２６の風下側に周り込み破砕枠２６に沿って貯水部２１に導かれることとなる。
【００３４】
また、前記遠心破砕円板１９ａ〜１９ｄから飛散される細かな水滴が破砕壁２０に破砕枠２６が取り付けられることにより表面積が大きくなった破砕壁２０及び破砕枠２６に衝突して、このときこの水滴が干渉されるのが抑制されるためさらに細かい水粒に破砕され、ファン１５から送風される温風により気化される。このとき、破砕壁２０より落下する水滴は、細かい水滴と交わることなく破砕枠２６を伝わって降下するため、途中で細かい水滴が大粒水滴に吸収されることなく、効率的に微細水滴を得ることができる。
【００３５】
揚水管１８とファンモータ１６との間には仕切り壁２７が設けられ、遠心破砕円板１９ａ〜１９ｄから飛散される水滴によるファンモータ１６の濡れを防止している。仕切り壁２７に付着した水滴は、貯水部２１に落下する。
【００３６】
また、破砕壁２０に付着した水粒も貯水部２１に落下する。
【００３７】
破砕壁２０に対し、揚水管１８の反対側には気液分離装置２８及び二次熱交換器１３が配設される。気液分離装置２８では破砕壁２０及び破砕枠２６を通過した温風に含まれる水粒が除去され、水蒸気を含む高湿の空気が二次熱交換器１３に案内される。そして、気液分離装置２８で除去された水粒は、貯水部２１に落下する。
【００３８】
二次熱交換器１３は、本体ケース７の送気口９の上方に設置され、温水器から供給される熱水が循環するように構成される。そして、気化熱を奪われて温度が低下した温風が二次熱交換器１３で再加熱されて、送気口９に案内される。
【００３９】
これにより、浴室１内へのサウナ機能を有する本発明の液体微細化装置は、液体微細化すなわち例えばμｍオーダの水粒を生成するための破砕モータ１７と防振部材Ａ２９および防振部材Ｂ３０との接触を防振部材Ａ２９と防振部材Ｂ３０の凸部Ａ３１と凸部Ｂ３２のみ接触に抑えるので、本体ケース７への揚水管１８と円板を駆動させる破砕モータ１７の振動の伝達を減少させるので、本発明の液体微細化装置を使用する使用者が不快と感じる振動と振動から生じる騒音の発生を防ぐことができるといった効果を奏する。
【００４０】
また、防振部材Ａ２９と防振部材Ｂ３０の３つの凸部Ａ３１、３つの凸部Ｂ３２のそれぞれの間を繋ぐ薄壁を設け一体化とし、更に、３つの凸部Ａ３１、３つの凸部Ｂ３２の間の中間に補強リブＡ３３と補強リブＢ３４を設けるという構成にすることにより、防振部材Ａ２９と防振部材Ｂ３０の破砕モータへの組み付け性を向上させるすなわち容易に組み立てることができる、更に、組み立て時に起こり得る防振部材Ａ２９と防振部材Ｂ３０の変形すなわち外周が内側や外側へ変形するのを補強リブＡ３３と補強リブＢ３４によって締結し固定することで変形を防止することができる。
【００４１】
そして、防振部材Ａ２９は、モータカバー３５と密着して取り付けることで、加湿ユニット１２の中の微細化された水粒が破砕モータ１７の外郭空間に侵入することを防ぐことができ、この防振部材Ａ２９の補強リブＡ３３の構成により、使用者が不快に感じる騒音、振動の発生を防ぐと共に更に破砕モータ１７の外郭空間への水粒の侵入を防ぐ、即ち防湿の効果を兼ね備える。
【産業上の利用可能性】
【００４２】
本発明にかかる液体微細化装置は、円板を駆動させるモータの振動により使用者が不快と感じる騒音や振動の発生を防ぐことができることを可能とするものであるので、液体微細化装置以外に、回転物をモータにより駆動する装置に適用可能である。
【符号の説明】
【００４３】
１      浴室
２      天井面
３      液体微細化装置
４      配管
５      配管
６      フロントパネル
７      本体ケース
８      吸気口
９      送気口
１０    一次熱交換器
１１    送風機
１２    加湿ユニット
１３    二次熱交換器
１４    水位検知センサ
１５    ファン
１６    ファンモータ
１７    破砕モータ
１８    揚水管
１９ａ  遠心破砕円板
１９ｂ  遠心破砕円板
１９ｃ  遠心破砕円板
１９ｄ  遠心破砕円板
２０    破砕壁
２１    貯水部
２２    出力軸
２３    給水弁
２４    給水部
２５    開口部
２６    破砕枠
２７    仕切り壁
２８    気液分離装置
２９    ドーナッツ状の防振部材Ａ
３０    ドーナッツ状の防振部材Ｂ
３１    凸部Ａ
３２    凸部Ｂ
３３    補強リブＡ
３４    補強リブＢ
３５    モータカバー
【図１】
2015062447.tif 000003
【図２】
2015062447.tif 000004
【図３】
2015062447.tif 000005
【図４】
2015062447.tif 000006
【図５】
2015062447.tif 000007
【図６】
2015062447.tif 000008
【図７】
2015062447.tif 000009